(57)【特許請求の範囲】
【請求項１】
床面に付着している塵埃を吸引する為の掃除機用床ノズルの回転ロータにおいて、該回転ロータは、清掃体、ロータ、軸受け、及びブラケットからなり、該清掃体はブラシであり、基布と、該基布に形成されたブラシ繊維と、該ブラシ繊維を両側から挟みつけるように該基布に形成されると共に該ブラシ繊維より毛腰が強く高さの高いブラシ繊維より形成され、該ブラシ繊維及び該毛腰の強いブラシ繊維は該基布の長手方向に対して互いに隣接するよう並列に形成されたことを特徴とする掃除機用床ノズルの回転ロータ。
【請求項２】
床面に付着している塵埃を吸引する為の掃除機用床ノズルの回転ロータにおいて、該回転ロータは、清掃体、ロータ、軸受け、及びブラケットからなり、該清掃体は、ブラシと起毛布とから構成され、該ブラシは、基布と、該基布に形成されたブラシ繊維と、該ブラシ繊維を両側から挟みつけるように該基布に形成されると共に該ブラシ繊維より毛腰が強く高さの高いブラシ繊維より形成され、該ブラシ繊維及び該毛腰の強いブラシ繊維は該基布の長手方向に対して、互いに隣接するよう並列に形成され、該起毛布は、繊維の高さが該ブラシより高くかつ順に低くなるように配されると共に繊維の高さが高いほど硬さが柔らかいものとしたことを特徴とする掃除機用床ノズルの回転ロータ。
【発明の詳細な説明】
【０００１】
【発明の属する技術分野】
本発明は、掃除機用床ノズルに使用する回転ロータに関するものである。
【０００２】
【従来の技術】
従来の回転ロータを、以下図１から図３を用いて説明する。図１は、従来の掃除機の吸塵ノズル内に組み付けた回転ブラシに用いるブラシを前面側から見た斜視図である。図２は、図１のブラシの製法を示す平面図である。図３は、図１のブラシの取り付け状態を示す断面図である。図１から図３において、１はブラシ、２は取付用部材、３は綴じ糸、４はブラシ本体、５は帯板状体、６は回転ブラシ、７は取付溝、８はロータである。
【０００３】
掃除機用床ノズルに使用する回転ロータは、様々のものが使用されている。また、回転ロータに使用するブラシは、例えば、図１〜図３に示すように、取付用部材２に対してＵ字形に２つ折りされたブラシ本体４を、綴じ糸３にて綴じ込んで帯板状体５を製作後、中央のＸ−Ｘ部から２つに分断して２本のブラシ１を製作し、これをロータ８の取付溝７に挿入して回転ブラシ６としたもの（特開２００１−１６１６１１号）がある。
【０００４】
【発明が解決しようとする課題】
清掃する床面としては、フローリング、じゅうたん、カーペット、畳等があるが、塵埃等を清掃する方法としては、回転ロータを回転させて、床ノズルに吸い込む方法が採用されている。しかし、フローリングの床面は、ほうき等で塵埃等を掃いた後、乾いた布等で拭くことにより清掃効果が高められる。また、じゅうたん、カーペット、畳等の床面は、塵埃等を掻き出した後、吸い込むことにより清掃効果が高められる。その為、従来の回転ロータにおいては、すべての床面に対して十分に高い清掃効果を得ることができないという難点があった。
本発明は、フローリング、じゅうたん、カーペット、畳等のすべての床面にたいして、高い清掃効果を得ることのできる、掃除機用床ノズルの回転ロータを提供することを目的としている。
【０００５】
【課題を解決するための手段】
上記の目的を達成するため、本発明の掃除機用床ノズルの回転ロータは次の手段を採った。すなわち、請求項１の発明は、床面に付着している塵埃を吸引する為の掃除機用床ノズルの回転ロータにおいて、該回転ロータは、清掃体、ロータ、軸受け、及びブラケットからなり、該清掃体はブラシであり、基布と、該基布に形成されたブラシ繊維と、該ブラシ繊維を両側から挟みつけるように該基布に形成されると共に該ブラシ繊維より毛腰が強く高さの高いブラシ繊維より形成され、該ブラシ繊維及び該毛腰の強いブラシ繊維は該基布の長手方向に対して互いに隣接するよう並列に形成されたことを特徴としている。
このように構成されているので、床面がじゅうたん、カーペット、畳等の場合には、繊維高さの高いブラシ繊維が、じゅうたんの奥、あるいは畳のいぐさの隙間にある塵埃等を掻き出すことができる。また、床面がフローリングの場合には、繊維高さの高いブラシ繊維が床面の表面にある塵埃等を掻き出すとともに、繊維高さの低いブラシ繊維が床面の表面を磨き上げることができる。
また、請求項２の発明は、床面に付着している塵埃を吸引する為の掃除機用床ノズルの回転ロータにおいて、該回転ロータは、清掃体、ロータ、軸受け、及びブラケットからなり、該清掃体は、ブラシと起毛布とから構成され、該ブラシは、基布と、該基布に形成されたブラシ繊維と、該ブラシ繊維を両側から挟みつけるように該基布に形成されると共に該ブラシ繊維より毛腰が強く高さの高いブラシ繊維より形成され、該ブラシ繊維及び該毛腰の強いブラシ繊維は該基布の長手方向に対して、互いに隣接するよう並列に形成され、該起毛布は、繊維の高さが該ブラシより高くかつ順に低くなるように配されると共に繊維の高さが高いほど硬さが柔らかいものとしたことを特徴としている。
このように構成されているので、上記のほか、さらに、床面にさまざまな深さの段差や溝等が形成されている場合でも、的確かつ迅速に床面の塵埃等を掻き出して清掃することができる。
【０００６】
【発明の実施の形態】
請求項１の発明の実施の形態を図４から図１０に基づいて説明する。図４は、この実施の形態の回転ロータを使用した床ノズル１０の断面図である。ここで、９は開口、１１は回転ロータ、１２はロータ、１３はブラシである。また、図５は、この実施の形態の回転ロータ１１を示す正面図であり、１４、１５はブラケット、１６は軸受けである。また、図６は、図５の断面図であり、１７は取付溝である。図７は、図５のブラシ１３の断面図であり、１９は基布、２０は段差、２１、２２はブラシ繊維である。そして、図８は、図７のブラシ１３を前面側から見た斜視図である。図９及び図１０は、この実施の形態の回転ロータ１１の使用状態を示す断面図であり、５２、６２は床面、６３は清掃布である。
【０００７】
回転ロータ１１は、図５に示すように、ロータ１２、清掃体としてのブラシ１３、ブラケット１４、１５及び軸受け１６とから構成されている。ロータ１２は、金属製の概円筒形状であり、外周には、ロータ１２の長手方向の軸の周りに捩りを加えて、図６に示すように、円周等分４箇所に取付溝１７が形成されている。また、ブラシ１３は、取付溝１７に対して円周等分４箇所に挿入固定されている。そして、ブラケット１４、１５は、ロータ１２に対して、両端から挟み込むように挿入固定されており、ブラケット１４、１５の外側には、軸受け１６が形成されている。なお、回転ロータ１１は、図４に示すように、床ノズル１０に内蔵されている。
【０００８】
ブラシ１３は、図７及び図８に示すように、基布１９と、ブラシ繊維２１、２２とから形成されている。基布１９は、概短冊形状で、上面には、ブラシ繊維２２が両側から繊維高さの高いブラシ繊維２１に挟み付けられるように形成されている。また、ブラシ繊維２１及びブラシ繊維２２は、毛腰が異なるように形成されており、基布１９の長手方向に対してブラシ繊維２１及びブラシ繊維２２が、互いに隣接するよう並列に形成されている。
【０００９】
ブラシ繊維２１の材質には、ナイロン繊維が使用され、ブラシ繊維２２の材質には、ポリエステル繊維が使用されている。繊維の硬さは、ブラシ繊維２１の硬さが、ブラシ繊維２２の硬さに比べて、毛腰が強くなるように形成されている。
【００１０】
次に、上記のように構成された実施の形態の回転ロータの使用状態を説明する。
この掃除機は、図９に示すように、床面５２に対して、回転ロータ１１を回転させることにより、床面５２上の塵埃等を掻き出した後、床ノズル１０に吸い込むことにより清掃する。床面５２がじゅうたん、カーペット、畳等の場合には、ブラシ繊維２１が、じゅうたんの奥、あるいは畳のいぐさの隙間にある塵埃等を、掻き出す。また、床面５２がフローリングの場合には、ブラシ繊維２１が、床面５２の表面にある塵埃等を掻き出すと共に、ブラシ繊維２２が床面５２の表面を磨き上げる。
【００１１】
また、回転ロータ１１には、図１０に示すように、床面６２に対して、回転ロータ１１に形成されたブラシ１３と床面６２の間に、所定の長さに設定された概短冊形状の清掃布６３を挟み付けて使用することができる。なお、この使用状態においては、回転ロータ１１は、非回転の状態に保持されている。ブラシ１３は、毛腰の異なる２種類のブラシ繊維２１及びブラシ繊維２２が、段差２０を有して、ブラシ１３の長手方向に対して互いに隣接するよう並列に形成されているので、清掃布６３は、ブラシ１３から容易にはずれないように保持される。したがって、床面６２がフローリング、あるいは畳の場合には、床面６２上を清掃布６３を移動させることにより、床面６２の表面を簡便に磨き上げることができる。
【００１５】
次に、請求項２の発明の実施の形態について図１１に基づいて説明する。
図１１は、この実施の形態の回転ロータの断面図であり、１３はブラシ、３１は回転ロータ、２３、３３、４３は起毛布、３２はロータである。この回転ロータ３１は、ブラシ１３、及び起毛布２３、３３、４３が、ロータ３２の外周に対して円周等分６箇所に挿入固定されている。ブラシ１３、及び起毛布２３、３３、４３の繊維の高さは、起毛布４３が最も高く、起毛布３３、起毛布２３、ブラシ１３の順に、低く設定されている。また、起毛布の繊維の硬さは、起毛布２３が最も硬く、起毛布３３、起毛布４３の順に柔らかく設定されている。
【００１６】
回転ロータ３１は、上記のように、異なる繊維の高さと硬さを有するブラシ１３と、起毛布２３、３３、４３とで構成されているので、床面にさまざまな深さの段差、あるいは溝等が形成されている場合であっても、回転ロータ３１の回転により、的確かつ迅速に、床面の塵埃等を掻き出して、清掃することができる。
【００１８】
【発明の効果】
請求項１の発明の掃除機用床ノズルの回転ロータは、上記のように構成されているので、回転ロータ１１を回転させて使用した場合においては、床面５２がじゅうたん、カーペット、畳等の場合には、ブラシ繊維２１が、じゅうたんの奥、あるいは畳のいぐさの隙間にある塵埃等を、掻き出すことができる。また、床面５２がフローリングの場合には、ブラシ繊維２１が、床面５２の表面にある塵埃等を、掻き出すことができると共に、ブラシ繊維２２が床面５２の表面を磨き上げることができる。
【００２０】
また、回転ロータ１１を非回転の状態にて使用した場合においては、ブラシ１３は、毛腰の異なる２種類のブラシ繊維２１及びブラシ繊維２２が、段差２０を有して、ブラシ１３の長手方向にたいして互いに隣接するよう並列に形成されてある為、清掃布６３を、ブラシ１３から容易にはずれる事無く、保持することができる。したがって、床面６２がフローリング、あるいは畳の場合には、床面６２上を移動させることにより、清掃布６３にて床面６２の表面を磨き上げることができる。
【００２１】
請求項２の発明の掃除機用床ノズルの回転ロータ３１は、上記のように構成されているので、床面にさまざまな深さの段差、あるいは溝等が形成されているような場合であっても、異なる繊維の高さと硬さを有するブラシ及び起毛布を、床面に接触させることができる。その為、回転ロータ３１の回転により、的確かつ迅速に、溝内にある塵埃等を掻き出して、清掃することができる。
【図面の簡単な説明】
【図１】 従来の掃除機の吸塵ノズル内に組み付けた回転ブラシに用いるブラシを前面側から見た斜視図である。
【図２】 図１のブラシの製法を示す平面図である。
【図３】 図１のブラシの取り付け状態を示す断面図である。
【図４】  本発明の実施の形態１の掃除機用床ノズルの回転ロータを使用した床ノズルの断面図である。
【図５】 本発明の実施の形態１の掃除機用床ノズルの回転ロータを示す正面図である。
【図６】 図５の断面図である。
【図７】 図５に使用するブラシの断面図である。
【図８】 図７のブラシを前面側から見た斜視図である。
【図９】 本発明の実施の形態１の掃除機用床ノズルの回転ロータの使用状態を示す断面図である。
【図１０】  本発明の実施の形態１の掃除機用床ノズルの回転ロータの使用状態を示す断面図である。
【図１１】 本発明の実施の形態１の他の実施例の掃除機用床ノズルの回転ロータを示す断面図である。
【符号の説明】
１  ブラシ
２  取付用部材
３  綴じ糸
４  ブラシ本体
５  帯板状体
６  回転ブラシ
７  取付溝
８  ロータ
９  開口
１０  床ノズル
１１  回転ロータ
１２  ロータ
１３  ブラシ
１４  ブラケット
１５  ブラケット
１６  軸受け
１７  取付溝
１９  基布
２０  段差
２１  ブラシ繊維
２２  ブラシ繊維
２３  起毛布
３１  回転ロータ
３２  ロータ
３３  起毛布
４３  起毛布
５２  床面
６２  床面
６３  清掃布
【図１】
0003803331.tif 000002
【図２】
0003803331.tif 000003
【図３】
0003803331.tif 000004
【図４】
0003803331.tif 000005
【図５】
0003803331.tif 000006
【図６】
0003803331.tif 000007
【図７】
0003803331.tif 000008
【図８】
0003803331.tif 000009
【図９】
0003803331.tif 000010
【図１０】
0003803331.tif 000011
【図１１】
0003803331.tif 000012